(57)【要約】【課題】従来のペットシートよりも多量にペットの尿等を保持することができ、又、多量の活性炭を使うことなく高効率の消臭効果が得られるペットシートを提供する。【解決手段】表面の液透過性シート１と裏面の液不透過性シート８との間に吸収体Ｂを介在させたペットシートＡにおいて、前記吸収体Ｂは５層構造からなり、第１層目に第１吸収紙層２を配置し、第２層目には上部に高分子吸収剤４を散布した第１フラッフパルプ層３を配置し、第３層目には活性炭配合吸収紙５を配置し、第４層目には上部に高分子吸収剤４を散布した第２フラッフパルプ層６を配置し、そして第５層目には第２吸収紙層７を配置し、前記第２フラッフパルプ層６の重量を前記第１フラッフパルプ層３の１．５分の１乃至２．５分の１とすると共に該第２フラッフパルプ層６を前記第１フラッフパルプ層３よりも高密度に形成した。【選択図】図２
0003130871.tif 000002
【実用新案登録請求の範囲】
【請求項１】
表面に配置した液透過性シートと裏面に配置した液不透過性シートとの間に吸収体を介在させて形成したペットシートにおいて、前記吸収体は５層構造からなり、上面部の第１層目及び下面部の第５層目に吸収紙を配置し、第２層目及び第４層目には上部に高分子吸収剤を散布したフラッフパルプ層を配置し、これらフラッフパルプ層の間には活性炭を配合した吸収紙からなる第３層目を配置して５層構造に形成されており、前記第４層目のフラッフパルプ層の重量を前記第２層目のフラッフパルプ層の重量より小となるように形成すると共に該第４層目のフラッフパルプ層を圧縮加工して前記第２層目のフラッフパルプ層よりも高密度に形成した構造としたことを特徴とするペットシート。
【請求項２】
前記第４層目のフラッフパルプ層の重量を、前記第２層目のフラッフパルプ層の重量の１．５分の１乃至２．５分の１としたことを特徴とする請求項１に記載のペットシート。
【請求項３】
前記活性炭を配合した吸収紙からなる第３層目は、配合した活性炭の重量比率が５乃至２５パーセントであることを特徴とする請求項１又は請求項２に記載のペットシート。
【考案の詳細な説明】
【技術分野】
【０００１】
本考案は、室内等で飼われるペットの排泄物の処理のために、床などに敷かれて使用されるペットシートに関する。
【背景技術】
【０００２】
透液性の表面シートと、不透液性の裏面シートと、前記表面シートと裏面シートとの間に介在する吸収体とを有する積層体により形成された矩形形状のペットシートが知られている（例えば特許文献１参照。）。
【特許文献１】特開２００４−４９２３２号公報
【考案の開示】
【考案が解決しようとする課題】
【０００３】
従来、ペットの尿等を吸収したペットシートは悪臭を放つので、短時間での交換が必要であった。このため、活性炭を配合した吸収体を介在させて消臭を図った例もあるが、多量の活性炭を使用して高コストになるという問題があった。
【０００４】
又、従来のペットシートは吸収体の液体保持能力が低くて、多量の尿等を吸収しきれないという問題があった。
【０００５】
本考案はこれらの問題点を解消し、少ない活性炭の量で尿等の臭いを吸着して効率の良い消臭を行なうことができると共に、従来以上に多量に尿等の液体を保持することができる構造のペットシートを提供することを目的とする。
【課題を解決するための手段】
【０００６】
本考案は上記の目的を達成すべく、表面に配置した液透過性シートと裏面に配置した液不透過性シートとの間に吸収体を介在させて形成したペットシートにおいて、前記吸収体は上面部の第１層目及び下面部の第５層目に吸収紙を配置し、第２層目及び第４層目には上部に高分子吸収剤を散布したフラッフパルプ層を配置し、これらフラッフパルプ層の間には活性炭を配合した吸収紙からなる第３層目を配置して５層構造に形成されており、前記第４層目のフラッフパルプ層の重量を前記第２層目のフラッフパルプ層の１．５分の１乃至２．５分の１の重量となるように形成すると共に該第４層目のフラッフパルプ層を圧縮加工して前記第２層目のフラッフパルプ層よりも高密度に形成し、更に該第４層目のフラッフパルプ層の周縁部をエンボス加工により圧着した構造とした。
【考案の効果】
【０００７】
本考案の効果として、従来よりも多量にペットの尿等を保持することができると共に消臭効果に秀れた、低価格のペットシートを提供できる効果を有する。
【考案を実施するための最良の形態】
【０００８】
本考案を実施するための最良の形態の実施例を以下に示す。
【実施例１】
【０００９】
本考案のペットシートの実施例を図面により説明する。
【００１０】
図１は本考案のペットシートＡの斜視図であり、図２は該ペットシートＡの内部構造を示すための縦断面図である。
【００１１】
ペットシートＡは、表面に配置した液透過性シート１と裏面に配置した液不透過性シート８との間に吸収体Ｂを封入して形成されている。
【００１２】
尚、液透過性シート１は不織布等からなり、液体をよく透過させる性質を有している。
【００１３】
又、液不透過性シート８はポリエチレンシート等からなり、液体を透過させない性質を有している。
【００１４】
前記吸収体Ｂは５層構造からなり、上部の第１層目は第１吸収紙層であり、第２層目は第１フラッフパルプ層３で上部に高分子吸収剤４を散布して有しており、第３層目は活性炭配合吸収紙層５であり、第４層目は第２フラッフパルプ層６で上部に高分子吸収剤４を散布して有しており、又、第５層目は第２吸収紙層７である。
【００１５】
尚、フラッフパルプは紙パルプの一種で、クラフトパルプが一般の紙に用いられるのに対し、フラッフパルプは紙おむつや衛生ナプキン等に用いられている。
【００１６】
又、前記フラッフパルプ層の上部に散布した高分子吸収剤４は高吸水性樹脂（ＳＡＰ）で、例えばポリアクリル酸塩等からなる。
【００１７】
前記第１フラッフパルプ層３は、フラッフパルプを機械でほぐして水分がしみ込みやすい状態に形成されている。
【００１８】
一方、第２フラッフパルプ層６は前記第１フラッフパルプ層３の重量の１．５分の１乃至２．５分の１の重量割合のフラッフパルプを用いて、前記前記第１フラッフパルプ層３よりも高密度となるように圧縮加工してエンボス形成されている。これは第２フラッフパルプ層６内での液体の拡散をよくするためであり、この重量割合は第１フラッフパルプ層３の２分の１程度とするのが最も好ましい。
【００１９】
前記活性炭配合吸収紙５は、一般のちり紙又は吸い取り紙等と類似の吸収紙の中に重量比５乃至２５％の活性炭を配合して形成されており、これは重量比１０乃至２０％の配合比が最適である。
【００２０】
次に本考案のペットシートＡの使用方法及びその特性について説明する。
【００２１】
ペットシートＡは、室内等で飼われている犬、猫等のペットの排泄物の処理のために、床などに敷かれて使用される。
【００２２】
本考案のペットシートＡ上に放出された尿等は、液透過性シート１及び第１吸収紙層２を透過して第１フラッフパルプ層３に至るが、該第１フラッフパルプ層３では、あまり液体の拡散はなく、活性炭配合吸収紙５を通過してから第２フラッフパルプ層５において拡散が進む。
【００２３】
このため、活性炭配合吸収紙５において尿等の悪臭を効率よく活性炭に吸着させることができる。
【００２４】
又、第２フラッフパルプ層６に多量の液体を拡散して保持できるようにしたので、従来のペットシートと比べて、より多くの尿等を吸収することができる効果を有している。
【００２５】
尚、本実施例では、ペットシートＡの形状を四角形としたが、これは四角形以外の形状であってもよい。
【産業上の利用可能性】
【００２６】
本考案のペットシートは、室内でペットを飼っている家庭、又はペット販売業者等に使用される。
【図面の簡単な説明】
【００２７】
【図１】本考案のペットシートの一例の斜視図である。
【図２】同上ペットシートの一部の縦断面図である。
【符号の説明】
【００２８】
１        液透過性シート
２        第１吸収紙層
３        第１フラッフパルプ層
４        高分子吸収剤
５        活性炭配合吸収紙
６        第２フラッフパルプ層
７        第２吸収紙層
Ａ        ペットシート
Ｂ        吸収体
【図１】
0003130871.tif 000003
【図２】
0003130871.tif 000004